(57)【要約】【課題】多層記録層をもつ光ディスクの外側記録層へのＢＣＡ記録の防止。【解決手段】所定レーザパワーを超えるレーザ光照射により反射率が飽和する記録層を多層形成した光ディスクにＢＣＡ記録するものであって、レーザ光を光ディスク６に照射するレーザヘッド２５ａと、任意の記録層への焦点制御を行うフォーカス制御回路１４と、ＢＣＡ信号を格納するＢＣＡデータバッファ１８と、レーザヘッド２５ａからのレーザスポット９を照射してＢＣＡ記録を制御する制御回路とを備え、レーザスポット９の焦点を光ディスク内層側の記録層に合焦点を行った状態で内層側の記録層に、ＢＣＡデータバッファ１８に格納したＢＣＡデータの記録を行うと共に、外層側の記録層に該外層側記録層の反射率が一様に飽和するレーザパワーによるレーザ光照射を行うもの。【選択図】図６
2009093748.tif 000002
【特許請求の範囲】
【請求項１】
所定パワーレベルのレーザ光照射により反射率が可逆的に変化し且つ前記所定レーザパワーを超えるレーザ光照射により飽和する記録層を多層形成した記録媒体に、ＢＣＡを記録するＢＣＡ記録装置であって、
任意形状のレーザ光を記録媒体に照射するレーザヘッドと、
記録媒体の任意の記録層に前記レーザ光の焦点制御を行うフォーカス制御回路と、
前記ＢＣＡ記録用のＢＣＡ信号を格納するＢＣＡデータバッファと、
前記レーザヘッドからのレーザ光を記録媒体に照射してＢＣＡ記録を制御する制御回路とを備え、
該制御回路が、
前記フォーカス制御回路によりレーザ光の焦点を記録媒体の内層側の記録層に合焦点を行った状態で内層側の記録層に、前記ＢＣＡデータバッファに格納したＢＣＡ信号を用いてＢＣＡ記録を行うと共に、
前記外層側の記録層に該外層側記録層の反射率が飽和するレーザパワーによるレーザ光照射を行うＢＣＡ記録装置。
【請求項２】
前記制御回路が、
前記フォーカス制御回路によりレーザ光の焦点を記録媒体の内層側の記録層に合焦点を行う第１工程と、
該第１工程による合焦点を維持した状態で前記ＢＣＡデータバッファに格納したＢＣＡ信号を用いて記録媒体にレーザ光を照射してＢＣＡを記録する第２工程と、
該第２工程後にフォーカス制御回路によりレーザ光の焦点を記録媒体の外層側の記録層に合焦点を行う第３工程と、
該合焦点を維持した状態で前記外層側の記録層に該外層側記録層の反射率が飽和するレーザパワーによるレーザ光照射を行う第４工程とを行う請求項１記載のＢＣＡ記録装置。
【請求項３】
前記レーザヘッドが照射するレーザ光の波長が４０５ｎｍ、レーザスポットのディスク円周方向のスポット幅を１μｍ、ディスク半径方向のスポット長を１０μｍとし、レーザパワーを３００〜５００ｍＷとする請求項１又は２記載のＢＣＡ記録装置。
【請求項４】
任意形状のレーザ光を記録媒体に照射するレーザヘッドと、記録媒体の任意の記録層に前記レーザ光の焦点制御を行うフォーカス制御回路と、ＢＣＡ記録用のＢＣＡ信号を格納するＢＣＡデータバッファと、前記レーザヘッドからのレーザ光を記録媒体に照射してＢＣＡ記録を制御する制御回路とを備えるＢＣＡ記録装置のＢＣＡ記録方法であって、
該制御回路が、
前記フォーカス制御回路によりレーザ光の焦点を記録媒体の内層側の記録層に合焦点を行った状態で内層側の記録層に、前記ＢＣＡデータバッファに格納したＢＣＡ信号を用いてＢＣＡ記録を行う工程と、
前記外層側の記録層に該外層側記録層の反射率が飽和するレーザパワーによるレーザ光照射を行う工程とを行うＢＣＡ記録方法。
【請求項５】
前記制御回路が、
前記フォーカス制御回路によりレーザ光の焦点を記録媒体の内層側の記録層に合焦点を行う第１工程と、
該第１工程による合焦点を維持した状態で前記ＢＣＡデータバッファに格納したＢＣＡ信号を用いて記録媒体にレーザ光を照射してＢＣＡを記録する第２工程と、
該第２工程後にフォーカス制御回路によりレーザ光の焦点を記録媒体の外層側の記録層に合焦点を行う第３工程と、
該合焦点を維持した状態で前記外層側の記録層に該外層側記録層の反射率が飽和するレーザパワーによるレーザ光照射を行う第４工程とを行う請求項４記載のＢＣＡ記録方法。
【請求項６】
前記制御回路が、レーザヘッドが照射するレーザ光の波長を４０５ｎｍ、レーザスポットのディスク円周方向のスポット幅を１μｍ、ディスク半径方向のスポット長を１０μｍとし、レーザパワーを３００〜５００ｍＷとする請求項３又は４記載のＢＣＡ記録方法。
【発明の詳細な説明】
【技術分野】
【０００１】
本発明は、多層記録形式の記録媒体に著作権保護やコピー防止を目的としたＢＣＡを記録することができるＢＣＡ記録装置及びＢＣＡ記録方法に係り、特にレーザ光の照射によって多層の光ディスクの任意の記録層にＢＣＡを形成させることができるＢＣＡ記録装置及びＢＣＡ記録方法に関する。
【背景技術】
【０００２】
現在、一般普及しているＤＶＤメディアの一部は、光ディスク記録面上又は反射膜面上にコンテンツデータ（音楽／映像等）を含んでいるピット（マーク）とは全く異質なバーコード状の物理マークが記録されている。このバーコード状の物理マークは、光ディスクの内周側の周方向に配列されておりＢＣＡ（Ｂｕｒｓｔ  Ｃｕｔｔｉｎｇ  Ａｒｅａ）と呼ばれ、ディスク情報やディスクＩＤ等のユニークな情報を含むものである。
【０００３】
前記ＢＣＡは、光ディスク製造過程の反射膜や記録膜等の積層膜を形成した後にレーザ光により形成し、ＢＣＡ記録装置等の特殊な装置を用いて任意のマーク（データ）を記録するのため、ユーザが複製を行うことは非常に困難である。他方、書替え可能なＤＶＤ（登録商標）には、ＤＶＤ−ＲＡＭやＤＶＤ−ＲＷが製品化されており、これら記録媒体の記録材料には相変化材料が用いられ、該相変化材料（記録膜）にレーザスポッドを照射することによって結晶化状態を変化させ、この結晶化状態の変化による反射率の変化を利用して情報の記録再生が行われる。
【０００４】
この相変化型の光ディスクにＢＣＡを記録する方法および装置に関する技術が記載された文献としては、例えば下記特許文献１が挙げられ、この特許文献には、２層型の光ディスクの２層記録層のそれぞれに半導体レーザを照射してＢＣＡを記録することが記載されている。
【特許文献１】特開２００７−７３１２２号公報
【発明の開示】
【発明が解決しようとする課題】
【０００５】
近年発売された追記型の光ディスクである、ＨＤＤＶＤ−Ｒ，ＢＤ−Ｒには、記録層が２層のものがあり、これら２層ディスクのＢＣＡはレーザ入射面から見て奥側の記録層にＢＣＡマークを記録するように規格化されている。従って、これら追記型２層ディスクにＢＣＡを記録する際には、ＢＣＡ記録装置が前記奥側の記録層にレーザスポットの焦点合わせ、このレーザ光のスポット照射によってＢＣＡを形成している。
【０００６】
このような近年の追記型２層ディスク（ＨＤＤＶＤ−Ｒ、ＢＤ−Ｒ）のＢＣＡ記録においては、層間距離が従来の２層ＤＶＤより狭くなっているのに加えて、前述の奥側の記録層にレーザスポットの焦点合わせを行った際、ＢＣＡ記録に用いられるレーザスポットがデータ記録再生時のスポットに比べて比較的大きなパワー密度と面積をもつため、手前側の記録層においても記録膜の感度によってはＢＣＡマークが記録されてしまうと言う不具合が生じる場合があった。尚、ＢＣＡの認識はＢＣＡ部の記録マークとスペース部の反射率差に基づく再生信号の振幅の大きさによって識別される。
【０００７】
本発明の目的は、前述の従来技術による不具合に鑑み、追記型２層ディスクの媒体表面側の記録膜にＢＣＡマークが記録されることを防止できるＢＣＡ記録装置及びＢＣＡ記録方法を提供することである。
【課題を解決するための手段】
【０００８】
本発明は、前記目的を達成するため、所定パワーレベルのレーザ光照射により反射率が可逆的に変化し且つ前記所定レーザパワーを超えるレーザ光照射により反射率が飽和する記録層を多層形成した記録媒体に、ＢＣＡを記録するＢＣＡ記録装置であって、任意形状のレーザ光を記録媒体に照射するレーザヘッドと、記録媒体の任意の記録層に前記レーザ光の焦点制御を行うフォーカス制御回路と、前記ＢＣＡ記録用のＢＣＡ信号を格納するＢＣＡデータバッファと、前記レーザヘッドからのレーザ光を記録媒体に照射してＢＣＡ記録を制御する制御回路とを備え、該制御回路が、前記フォーカス制御回路によりレーザ光の焦点を記録媒体の内層側の記録層に合焦点を行った状態で内層側の記録層に、前記ＢＣＡデータバッファに格納したＢＣＡ信号を用いてＢＣＡ記録を行うと共に、前記外層側の記録層に該外層側記録層の反射率が飽和するレーザパワーによるレーザ光照射を行うことを第１の特徴とする。
【０００９】
また本発明は、前記特徴のＢＣＡ記録装置において、前記制御回路が、前記フォーカス制御回路によりレーザ光の焦点を記録媒体の内層側の記録層に合焦点を行う第１工程と、該第１工程による合焦点を維持した状態で前記ＢＣＡデータバッファに格納したＢＣＡ信号を用いて記録媒体にレーザ光を照射してＢＣＡを記録する第２工程と、該第２工程後にフォーカス制御回路によりレーザ光の焦点を記録媒体の外層側の記録層に合焦点を行う第３工程と、該合焦点を維持した状態で前記外層側の記録層に該外層側記録層の反射率が飽和するレーザパワーによるレーザ光照射を行う第４工程とを行うことを第２の特徴とする。
【００１０】
また本発明は、前記特徴のＢＣＡ記録装置において、前記レーザヘッドが照射するレーザ光の波長が４０５ｎｍ、レーザスポットのディスク円周方向のスポット幅を１μｍ、ディスク半径方向のスポット長を１０μｍとし、レーザパワーを３００〜５００ｍＷとすることを第３の特徴とする。
【００１１】
更に本発明は、任意形状のレーザ光を記録媒体に照射するレーザヘッドと、記録媒体の任意の記録層に前記レーザ光の焦点制御を行うフォーカス制御回路と、ＢＣＡ記録用のＢＣＡ信号を格納するＢＣＡデータバッファと、前記レーザヘッドからのレーザ光を記録媒体に照射してＢＣＡ記録を制御する制御回路とを備えるＢＣＡ記録装置のＢＣＡ記録方法であって、該制御回路が、前記フォーカス制御回路によりレーザ光の焦点を記録媒体の内層側の記録層に合焦点を行った状態で内層側の記録層に、前記ＢＣＡデータバッファに格納したＢＣＡ信号を用いてＢＣＡ記録を行う工程と、前記外層側の記録層に該外層側記録層の反射率が飽和するレーザパワーによるレーザ光照射を行う工程とを行うことを第４の特徴とする。
【００１２】
また本発明は、前記特徴のＢＣＡ記録方法において、前記制御回路が、前記フォーカス制御回路によりレーザ光の焦点を記録媒体の内層側の記録層に合焦点を行う第１工程と、該第１工程による合焦点を維持した状態で前記ＢＣＡデータバッファに格納したＢＣＡ信号を用いて記録媒体にレーザ光を照射してＢＣＡを記録する第２工程と、該第２工程後にフォーカス制御回路によりレーザ光の焦点を記録媒体の外層側の記録層に合焦点を行う第３工程と、該合焦点を維持した状態で前記外層側の記録層に該外層側記録層の反射率が飽和するレーザパワーによるレーザ光照射を行う第４工程とを行うことを第５の特徴とする。
【００１３】
また本発明は、前記特徴のＢＣＡ記録方法において、前記制御回路が、レーザヘッドが照射するレーザ光の波長を４０５ｎｍ、レーザスポットのディスク円周方向のスポット幅を１μｍ、ディスク半径方向のスポット長を１０μｍとし、レーザパワーを３００〜５００ｍＷとすることを第６の特徴とする。
【発明の効果】
【００１４】
本発明によるＢＣＡ記録装置及びＢＣＡ記録方法は、フォーカス制御回路によりレーザ光の焦点を記録媒体の内層側の記録層に合焦点を行った状態で内層側の記録層に、前記ＢＣＡデータバッファに格納したＢＣＡ信号を用いてＢＣＡ記録を行うと共に、このとき前記外層側の記録層に該外層側記録層の反射率が飽和するレーザパワーに設定することによって、前記外側の記録層にＢＣＡマークが記録されることを防止することができる。
【発明を実施するための最良の形態】
【００１５】
以下、本発明によるＢＣＡ記録方法を適用したＢＣＡ記録装置の一実施形態を図面を参照して詳細に説明する。図１は本発明の対象となる２層膜追記型光ディスクのＢＣＡ記録層を説明するための図、図２は追記型光ディスクのＢＣＡ録方法を説明するための図、図３は２層型光ディスクの各記録面上におけるレーザスポット形状を説明するための図、図４はＬｏｗ  ｔｏ  Ｈｉｇｈタイプの従来のＢＣＡ記録例を説明するための図、図５はＬｏｗ  ｔｏ  Ｈｉｇｈタイプの本実施形態によるＢＣＡ記録例を説明するための図、図６は本実施形態によるＢＣＡ記録方法の動作を説明するための図、図７は本実施形態によるＢＣＡ記録装置の構成を示す図である。
［構成の説明］
【００１６】
本実施形態の対象となる２層型の追記型光ディスクとしてＤＶＤ−Ｒ、ＨＤＤＶＤ−Ｒ、ＢＤ−Ｒの各種類があり、これら光ディスクの構成を図１に示す如く、レーザ光が入射される側である再生面から見て、手前側に第１記録層１が配置され、その奥側に第２記録層２が配置されている２層追記型光ディスク６としたとき、ＤＶＤ−Ｒに対しては第１記録層にＢＣＡを記録し、ＨＤ  ＤＶＤ−Ｒに対しては第２記録層ＢＣＡを記録し、ＢＤ−Ｒに対しては第２記録層ＢＣＡを記録するように規格化されている。
【００１７】
また前記各種光ディスクにデータやＢＣＡを記録する方式としては、成膜後の記録膜が比較的高反射率である状態に対して所定形状に整形したレーザ光（レーザスポット）を照射し、該照射した部分を低反射率に改質することにより、記録を行うハイ  ツー  ロー（Ｈｉｇｈ  ｔｏ  Ｌｏｗ）記録方式と、成膜後の記録膜が比較的低反射率である状態に対して所定形状に整形したレーザ光（レーザスポット）を照射して該照射した部分を高反射率に改質することにより、記録を行うロー  ツー  ハイ（Ｌｏｗ  ｔｏ  Ｈｉｇｈ）記録方式と呼ばれる方式がある。尚、前記Ｌｏｗ  ｔｏ  Ｈｉｇｈ方式の記録媒体には、一般的に有機色素が用いられ、照射するレーザパワーがＢＣＡ記録に要するレーザパワーより大出力とした場合、記録層材質の反射率が飽和して略均一に変化（改質）する傾向がある。
【００１８】
これら記録方式を図２を参照して説明すると、前記ハイツーロー記録方式は、成膜後の反射率の高い膜面に対して記録レーザ出力を幅の狭いパルス状に出力することにより、高反射率の背景中に低反射率の棒状の記録マークを形成し、前記Ｌｏｗ  ｔｏ  Ｈｉｇｈ記録方式は、成膜後の反射率が低い膜面に対して記録レーザ出力によりＢＣＡマーク以外のスペース（背景）部分を高反射率とすることにより、同様に高反射率の背景中に低反射率の棒状の記録マークを形成することになる。光ディスク再生装置は、この棒状の記録マークとスペース部の反射率差を光学的に検出してＢＣＡ再生信号を得るものである。
【００１９】
前記ＢＣＡ記録を行うＢＣＡ記録装置は、図７に示す如く、所定の波長の出力パワーを有するレーザ光を発する半導体レーザ６ａと、該半導体レーザ６ａから発せられたレーザ光を入射し、ディスク半径方向に向かって任意形状（真円又は長形状）のレーザスポット９を形成するためのスポット形成光学系１０と、該スポット形成光学系１０が形成したレーザ光２８を強く絞り込むための対物レンズ７ｂと、２つの記録層１及び２とを分離して認識し、各記録層に対応したフォーカスサーボ信号を生成する二層分離認識光学系１３と、ディスク面振れに対し焦点ズレが生じないように対物レンズ７ｂを方向７ａに移動して焦点合わせ制御を行う二層フォーカス制御回路１４と、光ディスク６を所定の回転数で方向７８（符号１５ａ）に回転駆動させるスピンドルモータ１５と、該モータ１５の回転に応じたディスクの回転角を検出するロータリエンコーダ１６と、該エンコーダ１６により検出した回転角を基に変調用クロック信号をディスクの回転角に同期して発生するクロック同期回路１７と、データバッファ１８に貯えられたＢＣＡ記録用のバッファデータと変調用クロック信号を基にディスク面に記録するための信号３２を生成する変調回路１９と、前記半導体レーザ６ａを駆動するレーザドライバ回路２２と、ディスク記録層に集光したスポット９をディスク半径方向３６に移動させるキャリッジ２５と、フォーカス系／レーザ系／モータ系／キャリッジ系の各回路や装置全体動作をコントロールするマイクロプロセッサ（以下ＭＰＵ）２６とを備える。尚、前述の半導体レーザ６ａ／スポット形成光学系１０／二層分離認識光学系１３、対物レンズ７とは、レーザヘッド２５ａを構成する。
【００２０】
前記光ディスクの各層に形成されるレーザスポットは、奥側の第２記録層に合焦点した場合、図３に示す如く、データ記録再生用のレーザスポットは、第２記録層１上においてはフォーカスされた小径の円形スポットＡで形成されるが、第１記録層１上においてもデフォーカスした（ぼやけた）レーザ光により半径がΔＬ大きくなった大円形スポットＢが照射される。同様にＢＣＡ記録用のレーザスポットは、第２記録層２上においてはタクトタイム短縮に有利な長形状の長形スポットＡ‘が形成されるが、第１記録層１おいても前記長形状の長形スポットに比べて幅及び長さがΔＬ大きくなった大形状の長形スポットＢ’が照射される。前記ΔＬは、第１及び第２記録層間の寸法をＬm、ＮＡを開口数としたとき、ΔＬ＝Ｌm×（arcsin（ＮＡ／Ｌm間屈折率））と表すことができる。
【００２１】
ここで、奥側の第２記録層に合焦点した時の、データ記録再生用の円形レーザスポットと、ＢＣＡ記録用の長円形スポットで第１記録層におけるデフォーカス（ぼやけ方）の度合いを比較した場合、図３に示す通り、長円形スポットの方が、ぼやけ方（第１記録層におけるスポット面積／第２記録層におけるスポット面積）が小さいことが判る。言い換えると、ＢＣＡ記録装置に用いられている長円形スポットの方が、第１記録層上のパワー密度が比較的大きくなる（減衰しない）傾向がある。
【００２２】
前記理由により、例えばＬｏｗ  ｔｏ  ＨｉｇｈディスクへのＢＣＡ記録において、図４に示す如く、奥側の第２記録層にフォーカスしてＢＣＡを記録しているにも関わらず、第１記録層側にもＢＣＡマークが記録されてしまう場合が発生する。この結果、本来ＢＣＡが記録されるべきではない第１記録層からも大きな再生信号（マーク部とスペース部の反射率の変化）が現れてしまい、再生装置でＢＣＡ信号を再生する際に不具合を生じてしまう。
【００２３】
ここで、本実施形態によるＬｏｗ  ｔｏ  ＨｉｇｈディスクへのＢＣＡ記録方法は、レーザスポット９を２層光ディスク６のＢＣＡ記録開始位置にレーザヘッド２５ａを移動させ且つ二層分離認識光学系１３を用いて第２記録層２にＢＣＡ記録用焦点合わせを行った状態で、第１記録層１に与えるデフォーカス光が記録層の反射率を飽和できるレーザパワーとしてＢＣＡの記録を行うように動作させるものである。
【００２４】
このＢＣＡ記録は、回転しているディスク上にレーザをパルス発光照射させてＢＣＡマークを形成するが、このとき、光ディスクの第２記録層２に与えられるレーザスポットは合焦点された微小なスポットのため、パルス発光に従って照射部分のみの反射率が飽和してＢＣＡマークが形成されると共に、第１記録層１に与えられるデフォーカスされたレーザスポットが図３に示した如きΔＬ分だけ拡大した照射範囲で、且つ高いレーザパワーを与えるため、図５に示す如く、第１記録層１からは僅かにＢＣＡ信号部分に幅が狭いマーク信号が残るものの、大部分に渡って改質され、ＢＣＡ再生信号５０は第２記録層２において大きく、第１記録層１においては無視できる程度に小さくすることができる。
【００２５】
尚、本実施形態に使用するレーザであるが、波長は同光ディスクの記録再生用と同等の４０５ｎｍ、またレーザスポットのディスク円周方向のスポット幅を１μｍ、ディスク半径方向のスポット長を１０μｍとした場合、レーザ出力は３００〜４００ｍＷ以上のものを使用することが望ましい。
【００２６】
次に、本実施形態による別の方法でのロー  ツー  ハイディスクに対するＢＣＡ記録装置の動作を、図６のフローチャートを参照して説明する。レーザスポット９を２層光ディスク６のＢＣＡ記録開始位置にレーザヘッド２５ａを移動させるステップＳ０１と、二層分離認識光学系１３を用いて第２記録層２に合焦点を行うステップＳ０２と、データバッファ１８に予め記録したＢＣＡを変調回路１９により変調しながらレーザドライバ回路２２を駆動することによって光ディスク６の第２記録層２にＢＣＡ記録を行うステップＳ０３と、ＢＣＡ記録終了位置か否かを判定し、終了位置に達しないと判定したときに前記ステップＳ０３に戻るステップＳ０４とを実行する。このときの２層光ディスク６は、前述したように第２記録層２に記録されるマーク記録と同様な記録マークが第１記録層にも記録される。
【００２７】
さて、本実施形態によるＢＣＡ記録装置は、図６に示したステップＳ０５に続き、レーザスポット９を２層光ディスク６のＢＣＡ記録開始位置にレーザヘッド２５ａを移動させるステップＳ０６と、二層分離認識光学系１３を用いて第１記録層１に合焦点を行うステップＳ０７と、レーザドライバ回路２２を駆動して光ディスク６の第１記録層１を飽和させるＤＣレーザパワーを供給するステップＳ０８と、消去（飽和）対象となるＢＣＡ記録終了位置か否かを判定し、終了位置に達しないと判定したときに前記ステップＳ０８に戻るステップＳ０９と、該ステップＳ０９により終了したと判定したとき、消去処理を停止するステップＳ１０とを実行することによって、前述した第２記録層に対してＢＣＡ記録を行った際に記録された第１記録層１のＢＣＡの記録マークを消去するように動作する。
【００２８】
このように本実施形態によるＢＣＡ記録装置及び方法は、ロー  ツー  ハイ方式の光ディスクの第２記録層にＢＣＡの記録を行う際には、前記第２記録層にＢＣＡを記録した後、第１記録層にフォーカスし、第１記録層の反射率を飽和させることにより、第１記録層に記録された不必要なＢＣＡマークを消去することができる。尚、前記実施形態においては、第２記録録層にＢＣＡを記録した後に第１記録層を飽和させる例を説明したが、この順序は逆であっても良い。
【００２９】
このように本実施形態によるＢＣＡ記録装置及び方法は、ロー  ツー  ハイ方式へのＢＣＡ記録時において、第２記録層２に合焦点した状態で第１記録層が飽和するレーザパワーを用いて第２記録層２に対するＢＣＡ記録を行うことによってＢＣＡマークが手前側の第１記録層に残ることを防止することができる。また、第２記録層に号焦点した状態でＢＣＡを記録した後、第１記録層に合焦点して第１記録層の反射率が飽和するＤＣパワーを照射することでもＢＣＡマークが手前側の第１記録層に残ることを防止することができる。また前記実施形態においては２層記録媒体を例に挙げて説明したが、更に多層の記録媒体にも適用することができる。
【図面の簡単な説明】
【００３０】
【図１】本発明の対象となる２層膜追記型光ディスクのＢＣＡ記録層を説明するための図。
【図２】追記型光ディスクのＢＣＡ録方法を説明するための図。
【図３】２層型光ディスクの各記録面上におけるレーザスポット形状を説明するための図。
【図４】ロー  ツー  ハイタイプの従来のＢＣＡ記録例を説明するための図。
【図５】ロー  ツー  ハイタイプの本実施形態によるＢＣＡ記録例を説明するための図。
【図６】本実施形態によるＢＣＡ記録方法の動作を説明するための図。
【図７】本実施形態によるＢＣＡ記録装置の構成を示す図。
【符号の説明】
【００３１】
１：記録層、２：記録層、６：２層追記型光ディスク、６ａ：半導体レーザ、７：対物レンズ、９：レーザスポット、１０：スポット形成光学系、１３：二層分離認識光学系、１４：二層フォーカス制御回路、１５：スピンドルモータ、１６：ロータリエンコーダ、１７：クロック同期回路、１８：データバッファ、１９：変調回路、２２：レーザドライバ回路、２５：キャリッジ、２５ａ：レーザヘッド。
【図１】
2009093748.tif 000003
【図２】
2009093748.tif 000004
【図３】
2009093748.tif 000005
【図４】
2009093748.tif 000006
【図５】
2009093748.tif 000007
【図６】
2009093748.tif 000008
【図７】
2009093748.tif 000009